(57)【要約】【課題】  階段部において、より安定して身体を支えることができる手摺及びその製造方法を提供する。【解決手段】  支柱と、笠木を備え、支柱は、階段部に上端の高さ順に並べて立設してあり、笠木は、隣接する支柱間において、一端を低い方の支柱の上端に取り付けてあり、他端を高い方の支柱の側面に取り付けてある。【選択図】      図１
2018115465.tif 000002
【特許請求の範囲】
【請求項１】
支柱と、笠木を備え、支柱は、階段部に上端の高さ順に並べて立設してあり、笠木は、隣接する支柱間において、一端を低い方の支柱の上端に取り付けてあり、他端を高い方の支柱の側面に取り付けてあることを特徴とする手摺。
【請求項２】
階段部に、支柱を上端の高さ順に並べて立設する工程と、隣接する支柱間において、笠木の一端を低い方の支柱の上端に取り付けるとともに、他端を高い方の支柱の側面に取り付ける工程と、隣接する支柱間の笠木の下側に中桟を取り付ける工程を有することを特徴とする手摺の製造方法。
【発明の詳細な説明】
【技術分野】
【０００１】
本発明は、階段部に設置される手摺及びその製造方法に関する。
【背景技術】
【０００２】
従来、階段部に設置される手摺は、非特許文献１に示すような、階段に沿って傾斜する笠木を有するものであった。
【先行技術文献】
【非特許文献】
【０００３】
【非特許文献１】「エクステリア総合カタログ２０１６−２０１７（ＳＴＸ１０１３Ａ）」、三協立山株式会社、２０１６年３月、ｐ．７３７
【発明の概要】
【発明が解決しようとする課題】
【０００４】
しかしながら、このような従来の手摺において、笠木に手を掛けて、手摺で身体を支えながら階段を昇る場合、体重が笠木に対して垂直下向きにかかるのに対して、笠木が傾斜しているので、安定して身体を支えられない場合があった。
【０００５】
本発明は、上記事情を鑑みたものであり、階段部において、より安定して身体を支えることができる手摺及びその製造方法を提供することを目的とする。
【課題を解決するための手段】
【０００６】
本発明のうち請求項１の発明は、支柱と、笠木を備え、支柱は、階段部に上端の高さ順に並べて立設してあり、笠木は、隣接する支柱間において、一端を低い方の支柱の上端に取り付けてあり、他端を高い方の支柱の側面に取り付けてあることを特徴とする。
【０００７】
本発明のうち請求項２の発明は、階段部に、支柱を上端の高さ順に並べて立設する工程と、隣接する支柱間において、笠木の一端を低い方の支柱の上端に取り付けるとともに、他端を高い方の支柱の側面に取り付ける工程と、隣接する支柱間の笠木の下側に中桟を取り付ける工程を有することを特徴とする。
【発明の効果】
【０００８】
本発明のうち請求項１の発明によれば、階段の傾斜角度によらず、笠木を水平に設けることができ、笠木に手を掛けて階段を昇る際、垂直下向きにかかる体重を水平な笠木で受けるので、安定して身体を支えることができる。
【０００９】
本発明のうち請求項２の発明によれば、階段の傾斜角度によらず、笠木を水平に設けることができ、笠木に手を掛けて階段を昇る際、垂直下向きにかかる体重を水平な笠木で受けるので、安定して身体を支えることができる手摺を製造できる。また、支柱と笠木を組んでから、適宜支柱間に中桟を後付けして、意匠を自在に変えることができる。
【図面の簡単な説明】
【００１０】
【図１】手摺の正面図である。
【図２】笠木の支柱に対する固定部を示し、（ａ）は側面視断面図、（ｂ）は正面視断面図である。
【図３】中桟の支柱に対する固定部を示し、（ａ）は側面視断面図、（ｂ）は正面視断面図である。
【図４】小口部材の三面図であり、（ａ）は平面図、（ｂ）は側面図、（ｃ）は正面図である。
【図５】横材固定具の三面図であり、（ａ）は平面図、（ｂ）は側面図、（ｃ）は正面図である。
【図６】（ａ）〜（ｄ）は手摺の施工手順図である。
【発明を実施するための形態】
【００１１】
以下、本発明の実施の形態を図面に基づいて説明する。この手摺は、階段部に設置して用いられるものであり、図１に示すように、支柱４ａ，４ｂ，４ｃ，４ｄ，４ｅと、笠木５と、中桟（横材）１を備える。
【００１２】
支柱は、階段の各段に１本又は複数本立設してあり、階段の下側に立設したものから順に４ａ〜４ｅとなっていて、上端の高さ順に並んでいる。すなわち、支柱４ａと支柱４ｂは同じ段に立設してあるが、支柱４ｂの方が長いので上端の高さが高い。また、支柱４ｂと支柱４ｃは同じ長さであるが、支柱４ｃの方が上の段に立設してあるので上端の高さが高い。同じく、支柱４ｃと支柱４ｄは同じ長さであるが、支柱４ｄの方が上の段に立設してあるので上端の高さが高い。そして、支柱４ｅは支柱４ｄよりも上の段に立設してあるが、支柱４ｅの方が短く、支柱４ｄと支柱４ｅの上端の高さは同じである。なお、隣接する支柱間（支柱４ｄと支柱４ｅを除く）の上端の高さの差は全て等しく、階段の１段の高さと同じである。
【００１３】
笠木５は、手摺の上端部に取り付けた水平方向に延びる部材である。上記のとおり、支柱は上端の高さ順に並んでおり、隣接する支柱の上端の高さが異なるので、笠木５は、隣接する支柱間において、一端を低い方の支柱の上端に取り付けてあり、他端を高い方の支柱の側面に取り付けてある。ここで、一端側は階段の降り側となり、他端側は階段の昇り側となる。すなわち、支柱４ａと支柱４ｂにおいて、笠木５は降り側の支柱４ａの上端と、昇り側の支柱４ｂの側面に取り付けてある。同様に、支柱４ｂと支柱４ｃにおいて、笠木５は降り側の支柱４ｂの上端と、昇り側の支柱４ｃの側面に取り付けてあり、支柱４ｃと支柱４ｄにおいて、笠木５は降り側の支柱４ｃの上端と、昇り側の支柱４ｄの側面に取り付けてある。そして、支柱４ｄと支柱４ｅにおいて、笠木５は両支柱４ｄ，４ｅの上端に取り付けてある。
【００１４】
中桟１は、手摺の上下方向中間部に取り付けた水平方向に延びる部材である。隣接する支柱間において、笠木５の下側に、１本又は複数本の中桟１を取り付けてあり、より詳しくは、支柱４ａと支柱４ｂの間に１本、支柱４ｂと支柱４ｃの間及び支柱４ｃと支柱４ｄの間に２本、支柱４ｄと支柱４ｅの間に３本取り付けてある。そして、笠木５と中桟１の間隔及び中桟１同士の間隔は、隣接する支柱間の上端の高さの差（階段の１段の高さ）と同じである。よって、支柱を挟んで隣接する笠木５と中桟１又は中桟１同士が、同じ高さ位置となっている
【００１５】
次に、各部材同士の連結構造について詳述する。まず、図２に基づき、笠木５と支柱の連結構造について説明する。なお、図２は支柱４ａと支柱４ｂについて示したものであるが、他の支柱においても同じである。笠木５は、断面略矩形の形材であって、中空部５１を有し、下面の見込方向中央部には、長手方向に沿って延びる断面略コ字形の溝部５２を形成してあり、さらに溝部５２の底面には、長手方向に沿って延びる断面略Ｃ字形の係止部５３を形成してある。そして、笠木５の階段の降り側（支柱４ａ側）の端部には、端部部品６を取り付けてある。端部部品６は、略矩形平板形状のカバー部６１と、カバー部６１の笠木５側から突出する挿入片６２からなる。カバー部６１の笠木５側の面は掘り込んであって、笠木５の端部が丁度嵌まり込む形状となっており、カバー部６１に笠木５の端部が嵌まり込んだ状態で、端部部品６の挿入片６２が笠木５の中空部５１に挿入される。この挿入片６２に対して、笠木５の下面側（係止部５３の底面）からネジ止めして、笠木５に端部部品６を固定してある。そして、階段の降り側（支柱４ａ側）においては、支柱４ａの上端に、端面を覆う矩形平板状の上端板８をネジ止めして取り付けてあり、さらに上端板８の上面に、矩形平板状の連結板９をネジ止めして取り付けてある。連結板９は、笠木５の溝部５２に丁度納まる幅と厚さを有し、取り付けた支柱４ａから隣接する支柱４ｂ側に向けて突出している。この連結板９を溝部５２に納めるようにして、笠木５の階段の降り側の端部が支柱４ａに載置してあり、連結板９の突出部分の下側から、笠木５の係止部５３内に納めた裏板１０に対してネジ止めすることで、笠木５と階段の降り側の支柱４ａを連結してある。また、階段の昇り側（支柱４ｂ側）においては、支柱４ｂの側面に、突当具７を取り付けてある。突当具７は、端部部品６と略同じ形状で、カバー部７１と挿入片７２を有しており、カバー部７１を支柱４ｂにネジ止めしてある。そして、カバー部７１に笠木５の端部が嵌まり込んだ状態で、突当具７の挿入片７２が笠木５の中空部５１に挿入されており、この挿入片７２に対して、笠木５の下面側（係止部５３の底面）からネジ止めして、笠木５に突当具７を固定することで、笠木５と階段の昇り側の支柱４ｂを連結してある。なお、突当具７の高さ位置は、階段の降り側の支柱４ａの高さに合わせてあるので、笠木５は水平に設けられる。
【００１６】
続いて、図３〜図５に基づき、中桟（横材）１と支柱（被取付材）の連結構造について説明する。なお、図３は支柱４ｂについて示したものであるが、他の支柱においても同じである。中桟１は、断面略矩形の形材であって、中空部１１を有し、下面の見込方向中央部には、長手方向に沿って延びる断面略コ字形の溝部１２を形成してある。そして、中桟１の端部には、小口部材２を取り付けてある。小口部材２は、１枚の金属平板を曲げて形成したものであり、中桟１の中空部１１に挿入してある裏板部２１と、中桟１の小口を覆うキャップ部２２を備える。キャップ部２２は、中桟１の断面よりわずかに大きな矩形平板状のものであって、下側から２本の切り込みを入れて見込方向中央部を中桟１側に折り曲げてあり、折り曲げた部分の下側は切欠部２３となっている。折り曲げた部分は、キャップ部２２から中桟１側へ水平向きに延びる延出面２４と、延出面２４の先端から下向きに延びる垂直面２５と、垂直面２５の下端から中桟１側へ水平向きに延びる裏板部２１を形成している。中桟１の中空部１１に挿入された裏板部２１は、中桟１の下面（溝部１２の底面）に上側から当接している。また、支柱４ｂの側面には、横材固定具３を取り付けてある。横材固定具３は、Ｌ字金具からなり、水平向きの載置部３１と、垂直向きの取付部３２を備え、見込幅は中桟１の溝部１２に丁度納まる幅である。取付部３２を支柱４ｂの側面にネジ止めして固定してあり、載置部３１が支柱４ｂから水平向きに突出している。そして、横材固定具３の載置部３１を溝部１２に納めるようにして、中桟１の端部を横材固定具３の載置部３１に載置してあり、載置部３１の下側から、溝部１２の底面を貫通して小口部材２の裏板部２１にネジ止めすることで、中桟１を支柱４ｂに固定するとともに、小口部材２を中桟１に固定してある。この際、横材固定具３の取付部３２は、小口部材２のキャップ部２２に形成した切欠部２３に納まっており、横材固定具３と小口部材２が干渉することはない。
【００１７】
次に、図６に基づき、このように構成した手摺の製造方法（施工手順）について説明する。まず、階段部に、支柱４ａ〜４ｅを上端の高さ順に並べて立設する（図６（ａ））。支柱４ａから支柱４ｄにかけては、上端の高さが階段の１段の高さ分ずつ高くなっており、支柱４ｄと支柱４ｅの上端の高さは同じである。次に、隣接する支柱間において、笠木５の一端を低い方の支柱の上端に取り付けるとともに、他端を高い方の支柱の側面に取り付ける（図６（ｂ））。ここでは、階段の降り側の支柱４ａ，４ｂ間から順に取り付けるものとし、まず、笠木５の階段の降り側（支柱４ａ側）の端部から係止部５３に裏板１０を挿入し、さらに端部に端部部品６を取り付け、下側からネジ止めして固定する。また、支柱４ａの上端の上端板８の上面に、連結板９をネジ止めして固定する。さらに、階段の昇り側の支柱４ｂの、階段の降り側の側面に、突当具７をネジ止めして固定する。この際、突当具７の高さ位置は、階段の降り側の支柱４ａの高さに合わせる。そして、階段の降り側において、連結板９を溝部５２に納めるようにして、笠木５の端部を支柱４ａに載置するとともに、階段の昇り側において、突当具７の挿入片７２を笠木５の中空部５１に挿入し、さらに連結板９の下側から笠木５の係止部５３内に納めた裏板１０に対してネジ止めするとともに、笠木５の下側から、中空部５１内に挿入した突当具７の挿入片７２にネジ止めする。次に、同様にして、他の支柱間に笠木５を取り付ける（図６（ｃ））。ただし、支柱４ｄと支柱４ｅの間においては、両端とも支柱４ｄ，４ｅの上端に取り付ける。次に、隣接する支柱間の笠木５の下側に中桟１を後付けする（図６（ｄ））。ここでは、階段の降り側の支柱４ａ，４ｂ間から順に取り付けるものとし、まず、両支柱４ａ，４ｂの対向する側面に、横材固定具３の取付部３２をネジ止めして固定する。この際、横材固定具３の高さ位置は、笠木５から階段の１段分の高さだけ離れた位置とする。次に、中桟１の両端に、それぞれ中空部１１に裏板部２１を挿入するようにして、小口部材２を取り付ける。そして、横材固定具３の載置部３１を溝部１２に納めるようにして、中桟１の両端部をそれぞれ横材固定具３の載置部３１に載置し、載置部３１の下側から、溝部１２の底面を貫通して小口部材２の裏板部２１にネジ止めする。次に、同様にして、他の支柱間にも中桟１を取り付け、手摺が完成する。
【００１８】
このように構成した手摺によれば、階段の傾斜角度によらず、笠木５を水平に設けることができ、笠木５に手を掛けて階段を昇る際、垂直下向きにかかる体重を水平な笠木５で受けるので、安定して身体を支えることができる。
【００１９】
また、この手摺の製造方法によれば、階段の傾斜角度によらず、笠木５を水平に設けることができ、笠木５に手を掛けて階段を昇る際、垂直下向きにかかる体重を水平な笠木５で受けるので、安定して身体を支えることができる手摺を製造できる。また、支柱４ａ〜４ｅと笠木５を組んでから、適宜支柱間に中桟１を後付けして、意匠を自在に変えることができる。
【００２０】
さらに、この手摺は、小口部材２のキャップ部２２が中桟１の小口を覆うので、小口が露出せず、意匠性が良好で、安全である。そして、中桟１を横材固定具３に固定するネジを、小口部材２を中桟１に固定するネジと兼用しているので、部品点数が少なく、施工が容易である。また、中桟１を支柱に連結する際、中桟１の端部を横材固定具３の載置部３１に載置した状態でネジ止め作業を行うことができるので、作業性がよい。
【００２１】
本発明は、上記の実施形態に限定されない。たとえば、上記のように階段の各段に支柱を１本ずつ設けるもののほか、１つの段に複数本の支柱を設けてもよいし、支柱を設けない段があってもよい。また、支柱は上端の高さ順に並べて立設するものであるが、同じ高さの支柱が並ぶ部分があってもよい。さらに、施工の際、階段の昇り側の支柱間から笠木を取り付けてもよい。また、中桟以外の水平向きの部材（横材）を、小口部材と横材固定具により被取付材に取り付けるものであってもよい。さらに、横材固定具は、下側以外の方向から横材に当接するものであってもよく、その場合も、横材固定具側から、小口部材の裏板部にネジ止めして固定する。
【符号の説明】
【００２２】
１  中桟（横材）
２  小口部材
３  横材固定具
４ａ，４ｂ，４ｃ，４ｄ，４ｅ  支柱（被取付材）
５  笠木
１１  中空部
２１  裏板部
２２  キャップ部
【図１】
2018115465.tif 000003
【図２】
2018115465.tif 000004
【図３】
2018115465.tif 000005
【図４】
2018115465.tif 000006
【図５】
2018115465.tif 000007
【図６】
2018115465.tif 000008